【手続補正書】
【提出日】平成28年11月25日(2016.11.25)
【手続補正１】
【補正対象書類名】特許請求の範囲
【補正対象項目名】全文
【補正方法】変更
【補正の内容】
【特許請求の範囲】
【請求項１】
磁性物質のターゲットの前記存在を検出するための磁気検出装置であって、
第１の内部チャネル及び末端平面をともに画定する、１組の離間した脚部及び基部を含む概してＵ字形の磁石と、
前記第１の内部チャネルに位置し、前記磁石の前記末端平面上方に伸長するセンサを含むセンサアセンブリと、
を備え、
前記磁石は、前記ターゲットに対して前記磁石の第１の位置で前記磁石の前記末端平面上方で前記センサの前記領域に低磁束の又は磁束なしの第１の領域、前記ターゲットに対する前記磁石の第２の位置で前記磁石の前記内部チャネルに低磁束の又は磁束なしの第２の領域、及び前記センサに制御信号を活性化させる前記磁石の前記第２の位置で前記磁石の前記末端平面上方で前記センサの前記領域に磁束の第３の領域を生成するように適応される、磁気検出装置。
【請求項２】
前記基部が、１組の段、及び前記第１の内部チャネルの中に開く前記磁石の第２の内部チャネルを画定する、前記段の間の入込み表面を含む、請求項１に記載の磁気検出装置。
【請求項３】
前記入込み表面の形状が概して矩形であり、前記磁石に概して矩形形状の第２の内部チャネルを画定する、請求項２に記載の磁気検出装置。
【請求項４】
前記入込み表面の形状は概して凹形であり、前記磁石に概して凹形形状の第２の内部チャネルを画定する、請求項２に記載の磁気検出装置。
【請求項５】
前記入込み表面は概してｖ字形であり、前記磁石に概してｖ字形の第２の内部チャネルを画定する、請求項２に記載の磁気検出装置。
【請求項６】
固定レール、及び前記固定レールを基準にして移動する摺動レールを含んだトラック上で車両シートの前記位置を検出するためのシステムで使用するための磁気検出装置であって、
前記摺動レール上のハウジングと、
前記ハウジング内に位置し、磁束を生成するように適応された磁石であって、前記磁石は、第１の内部開放チャネルをともに画定する、末端平面を画定する１組の脚部及び脚部の間の基部を含み、前記基部は１組の段、及び前記第１の内部開放チャネルの中に開く第２の内部開放チャネルを画定する、前記段の間の入込み表面を含む、磁石と、
前記磁石の前記第１の内部開放チャネルの中に伸長するプリント基板、及び前記プリント基板上にあり、前記磁石の前記脚部の前記末端平面上方の第１の領域で伸長し、前記磁石によって生成される前記磁束を検出し、少なくとも第１の部分と、前記ハウジングが前記固定レールに近接する第２の部分との間での前記摺動レールの前記移動に応えて制御信号を活性化するように適応されたセンサを含む、前記ハウジング内のセンサアセンブリと、を備え、
前記磁石は、前記第１の位置と前記第２の位置との間での前記摺動レールの前記移動に応えて、前記磁石の前記脚部の前記末端平面上方の前記第１の領域から前記磁石の前記第１の内部開放チャネルの中への移動のために適応された、磁束なしの又は低磁束の第１の領域を有する磁束を生成し、及び、前記磁石は、前記センサに前記制御信号を活性化させる前記摺動レールの前記第２の位置で前記磁石の前記脚部の前記末端平面上方の前記第１の領域に磁束の第２の領域を有する磁束を生成する、
磁気検出装置。
【請求項７】
前記基部が、１組の段、及び前記第１の内部チャネルの中に開く前記磁石の第２の内部チャネルを画定する、前記段の間の入込み表面を含む、請求項６に記載の磁気検出装置。
【請求項８】
前記入込み表面の形状が概して矩形であり、前記磁石に概して矩形形状の第２の内部チャネルを画定する、請求項７に記載の磁気検出装置。
【請求項９】
前記入込み表面の形状が概して凹形であり、前記磁石に概して凹形形状の第２の内部チャネルを画定する、請求項７に記載の磁気検出装置。
【請求項１０】
前記入込み表面の形状が概してｖ字形であり、前記磁石に概してｖ字形の第２の内部チャネルを画定する、請求項７に記載の磁気検出装置。
【手続補正２】
【補正対象書類名】明細書
【補正対象項目名】００５８
【補正方法】変更
【補正の内容】
【００５８】
本明細書に説明される磁気検出装置は、その精神又は特徴から逸脱することなく他の形で具現化され得る。説明された実施形態は、すべての点で、制限的ではなく例示的としてのみ見なされるべきである。したがって、本発明の範囲は、上記説明によってよりむしろ添付の特許請求の範囲により示される。特許請求の範囲の意味、均等性の範囲内に入るすべての変更は、その範囲内に包含されるべきである。
下記は、本願の出願当初に記載の発明である。
＜請求項１＞
磁性物質のターゲットの前記存在を検出するための磁気検出装置であって、
第１の内部チャネル及び末端平面をともに画定する、１組の離間した脚部及び基部を含む概してＵ字形の磁石と、
前記第１の内部チャネルに位置し、前記磁石の前記末端平面上方に伸長するセンサを含むセンサアセンブリと、
を備え、
前記磁石は、前記ターゲットに対して前記磁石の第１の位置で前記磁石の前記末端平面上方で前記センサの前記領域に低磁束の又は磁束なしの第１の領域、前記ターゲットに対する前記磁石の第２の位置で前記磁石の前記内部チャネルに低磁束の又は磁束なしの第２の領域、及び前記センサに制御信号を活性化させる前記磁石の前記第２の位置で前記磁石の前記末端平面上方で前記センサの前記領域に磁束の第３の領域を生成するように適応される、磁気検出装置。
＜請求項２＞
前記基部が、１組の段、及び前記第１の内部チャネルの中に開く前記磁石の第２の内部チャネルを画定する、前記段の間の入込み表面を含む、請求項１に記載の磁気検出装置。
＜請求項３＞
前記入込み表面の形状が概して矩形であり、前記磁石に概して矩形形状の第２の内部チャネルを画定する、請求項２に記載の磁気検出装置。
＜請求項４＞
前記入込み表面の形状は概して凹形であり、前記磁石に概して凹形形状の第２の内部チャネルを画定する、請求項２に記載の磁気検出装置。
＜請求項５＞
前記入込み表面は概してｖ字形であり、前記磁石に概してｖ字形の第２の内部チャネルを画定する、請求項２に記載の磁気検出装置。
＜請求項６＞
固定レール、及び前記固定レールを基準にして移動する摺動レールを含んだトラック上で車両シートの前記位置を検出するためのシステムで使用するための磁気検出装置であって、
前記摺動レール上のハウジングと、
前記ハウジング内に位置し、磁束を生成するように適応された磁石であって、前記磁石は、第１の内部開放チャネルをともに画定する、末端平面を画定する１組の脚部及び脚部の間の基部を含み、前記基部は１組の段、及び前記第１の内部開放チャネルの中に開く第２の内部開放チャネルを画定する、前記段の間の入込み表面を含む、磁石と、
前記磁石の前記第１の内部開放チャネルの中に伸長するプリント基板、及び前記プリント基板上にあり、前記磁石の前記脚部の前記末端平面上方の第１の領域で伸長し、前記磁石によって生成される前記磁束を検出し、少なくとも第１の部分と、前記ハウジングが前記固定レールに近接する第２の部分との間での前記摺動レールの前記移動に応えて制御信号を活性化するように適応されたセンサを含む、前記ハウジング内のセンサアセンブリと、を備え、
前記磁石は、前記第１の位置と前記第２の位置との間での前記摺動レールの前記移動に応えて、前記磁石の前記脚部の前記末端平面上方の前記第１の領域から前記磁石の前記第１の内部開放チャネルの中への移動のために適応された、磁束なしの又は低磁束の第１の領域を有する磁束を生成し、及び、前記磁石は、前記センサに前記制御信号を活性化させる前記摺動レールの前記第２の位置で前記磁石の前記脚部の前記末端平面上方の前記第１の領域に磁束の第２の領域を有する磁束を生成する、
磁気検出装置。
＜請求項７＞
前記基部が、１組の段、及び前記第１の内部チャネルの中に開く前記磁石の第２の内部チャネルを画定する、前記段の間の入込み表面を含む、請求項６に記載の磁気検出装置。
＜請求項８＞
前記入込み表面の形状が概して矩形であり、前記磁石に概して矩形形状の第２の内部チャネルを画定する、請求項７に記載の磁気検出装置。
＜請求項９＞
前記入込み表面の形状が概して凹形であり、前記磁石に概して凹形形状の第２の内部チャネルを画定する、請求項７に記載の磁気検出装置。
＜請求項１０＞
前記入込み表面の形状が概してｖ字形であり、前記磁石に概してｖ字形の第２の内部チャネルを画定する、請求項７に記載の磁気検出装置。
＜請求項１１＞
近接センサ装置であって、
それぞれの側壁が基部部分に近接した段付き部分を有する２つの側壁の間に配置されたチャネル部分を備えるＵ字形の永久磁石と、
前記側壁の末端平面を越えて伸長する低磁束の領域に配置される磁場センサであって、強磁性物質の前記存在を検知するように構成される磁場センサと
を備える、近接センサ装置。
＜請求項１２＞
前記段付き部分が前記基部部分に当接する、請求項１１に記載の近接センサ装置。
＜請求項１３＞
前記基部部分から前記段付き部分の上面に伸長する傾斜部分をさらに備える、請求項１２に記載の近接センサ装置。
＜請求項１４＞
前記傾斜部分が、前記基部部分から前記段付き部分の上面に伸長する徐々に増す傾きを有するプロファイルを画定する、請求項１３に記載の近接センサ装置。
＜請求項１５＞
前記磁石の前記極が前記側壁の長手方向軸に沿って整列する、請求項１２に記載の近接センサ装置。
＜請求項１６＞
前記磁場センサがホール効果装置である、請求項１１に記載の近接センサ装置。